(57)【要約】【課題】  遊技盤上を転動する遊技球の振り分けを行う遊技球振分装置に関し、遊技盤の裏側面で回転可能に支持された裏側部材に永久磁石を設け、遊技球の軌道を多様に変化させ、遊技を多様化した遊技機を提供する。【解決手段】  遊技領域内を転動する遊技球７３と衝突することによって遊技球７３の進路を変更する振分部材３２と同一の回転軸７８により遊技盤８の裏側で回転可能に支持された裏側部材３３に、ベース体３１に対向してＳ極が配置された第１永久磁石７５を設け、一方、ベース体３１の後面に裏側部材３３に対向してＮ極が配置された第２永久磁石７６、７７を設けるように構成する。【選択図】  図６
2005334501.tif 000002
【特許請求の範囲】
【請求項１】
前面に遊技領域を有する遊技盤と、
前記遊技領域内に設けられ、前記遊技盤に対して平行方向に可動する可動部材とを有する遊技機において、
前記可動部材は、
前記遊技盤の表面側で回転可能に支持されるとともに前記遊技領域を転動する遊技球の進行方向を変更させる振分部材と、
前記遊技盤の裏面側で回転可能に支持されるとともに遊技盤に対向して所定の極性を配置した第１磁石を有する裏側部材と、
前記振分部材と前記裏側部材とを連結する回転軸と、
を備え、
前記第１磁石の軌道を前記遊技盤裏面に投影した投影軌道上に設けられ、前記第１磁石の遊技盤に対向する極性と異なる極性を前記第１磁石に対向して配置した第２磁石を有することを特徴とする遊技機。
【請求項２】
前面に遊技領域を有する遊技盤と、
前記遊技盤に設けられたベース体と、
前記遊技盤に対して平行方向に可動する可動部材とを有する遊技機において、
前記可動部材は、
前記遊技盤の表面側で回転可能に支持されるとともに前記遊技領域を転動する遊技球の進行方向を変更させる振分部材と、
前記遊技盤の裏面側で回転可能に支持されるとともにベース体に対向して所定の極性を配置した第１磁石を有する裏側部材と、
前記振分部材と前記裏側部材とを連結する回転軸と、
を備え、
前記第１磁石の軌道を前記ベース体に投影した投影軌道上に設けられ、前記第１磁石のベース体に対向する極性と異なる極性を前記第１磁石に対向して配置した第２磁石を有することを特徴とする遊技機。
【請求項３】
前記第２磁石は、前記投影軌道上の複数箇所に設けられるとともに、投影軌道の中間点より遠方に配置される第２磁石がより強い磁力を有することを特徴とする請求項１又は請求項２に記載の遊技機。
【請求項４】
前記投影軌道の中間点に設けられ、前記第１磁石の前記遊技盤又はベース体に対向する極性と同じ極性を前記第１磁石に対向して配置した第３磁石を有することを特徴とする請求項１乃至請求項３のいずれかに記載の遊技機。
【発明の詳細な説明】
【技術分野】
【０００１】
本発明は、遊技盤の遊技領域を転動する遊技球を振り分ける振分部材を有する遊技機に関し、特に、遊技盤裏面に配置された磁石の磁力により振分部材を可動することとしたパチンコ機等の遊技機に関する。
【背景技術】
【０００２】
遊技機の一つであるパチンコ機では、遊技盤の遊技領域内に遊技球を送り出し、遊技盤上に多数配設された遊技釘等によって流下する遊技球の挙動を変化させながら遊技球がアウト口へ入るか、あるいは入賞口に入り、賞球を獲得し得るかを楽しむものである。しかし、遊技球の挙動を変化させる手段として従来から用いられている遊技盤に固定された遊技釘や風車等のみを遊技領域に有する遊技機では、転動する遊技球の軌道は、一定の範囲のみでの変化に限られ、遊技が単調になる虞があった。そこで、例えば特開昭６０−９０５８２号広報には、風車の端部と、ロータリーソレノイドの駆動によって水平回転させられるアーム部とにそれぞれ永久磁石を設け、永久磁石同士による反発力によって風車を支軸上に前方へ移動させ自由に回転させるとともに、吸引力によって風車を支軸上に後方へ移動させ風車の回転を停止させることにより、新たな遊技球の流れを形成した遊技機が記載されている。
【特許文献１】特開昭６０−９０５８２号広報（第４頁〜第５頁、図４〜図５）
【発明の開示】
【発明が解決しようとする課題】
【０００３】
しかしながら、前記した特許文献１に記載された遊技機のように、風車等の振り分け部材の駆動源として永久磁石や電磁石等の磁石を用いる場合には、磁石が遊技盤に対して近い位置に設けられているので、遊技領域に磁石の磁力が及ぶこととなっていた。従って、遊技領域を転動する金属製の遊技球は、磁石の磁力によって影響を受け、その軌道が予定されている軌道より外れてしまう虞があり、パチンコ機のゲージ設計が非常に困難となっていた。
【０００４】
本発明は、前記従来の問題点を解消するためになされたものであり、遊技領域を転動する遊技球を振り分ける振分部材を磁石によって可動させることにより、遊技球の軌道を変化させ、遊技を多様化するとともに、設置した磁石の磁力によって遊技領域を転動する遊技球が何ら影響を受けることなく、ゲージ設計を容易とした遊技機を提供することを目的とする。
【課題を解決するための手段】
【０００５】
前記目的を達成するため請求項１に係る遊技機は、前面に遊技領域を有する遊技盤と、前記遊技領域内に設けられ、前記遊技盤に対して平行方向に可動する可動部材とを有する遊技機において、前記可動部材は、前記遊技盤の表面側で回転可能に支持されるとともに前記遊技領域を転動する遊技球の進行方向を変更させる振分部材と、前記遊技盤の裏面側で回転可能に支持されるとともに遊技盤に対向して所定の極性を配置した第１磁石を有する裏側部材と、前記振分部材と前記裏側部材とを連結する回転軸と、を備え、前記第１磁石の軌道を前記遊技盤裏面に投影した投影軌道上に設けられ、前記第１磁石の遊技盤に対向する極性と異なる極性を前記第１磁石に対向して配置した第２磁石を有することを特徴とする。
【０００６】
前面に遊技領域を有する遊技盤と、前記遊技盤に設けられたベース体と、前記遊技盤に対して平行方向に可動する可動部材とを有する遊技機において、前記可動部材は、前記遊技盤の表面側で回転可能に支持されるとともに前記遊技領域を転動する遊技球の進行方向を変更させる振分部材と、前記遊技盤の裏面側で回転可能に支持されるとともにベース体に対向して所定の極性を配置した第１磁石を有する裏側部材と、前記振分部材と前記裏側部材とを連結する回転軸と、を備え、前記第１磁石の軌道を前記ベース体に投影した投影軌道上に設けられ、前記第１磁石のベース体に対向する極性と異なる極性を前記第１磁石に対向して配置した第２磁石を有することを特徴とする。
【０００７】
また、請求項３に係る遊技機は、請求項１又は請求項２に記載の遊技機において、前記第２磁石は、前記投影軌道上の複数箇所に設けられるとともに、投影軌道の中間点より遠方に配置される第２磁石がより強い磁力を有することを特徴とする。
【０００８】
更に、請求項４に係る遊技機は、請求項１乃至請求項３のいずれかに記載の遊技機において、前記投影軌道の中間点に設けられ、前記第１磁石の前記遊技盤又はベース体に対向する極性と同じ極性を前記第１磁石に対向して配置した第３磁石を有することを特徴とする。
【発明の効果】
【０００９】
請求項１に係る遊技機では、遊技盤の表面側で回転可能に支持されるとともに遊技領域を転動する遊技球の進行方向を変更させる振分部材と回転軸によって連結された裏側部材に、遊技盤に対向して所定の極性を配置した第１磁石を設けるとともに、第１磁石の軌道を遊技盤裏面に投影した投影軌道上に第１磁石の遊技盤に対向する極性と異なる極性を第１磁石に対向して配置した第２磁石を有するので、振分部材は、第１磁石と第２磁石との間の吸引力と、遊技球との衝突の加重によって遊技盤上の位置を変化させる。従って、遊技領域内で転動する遊技球の軌道に多様な変化を与え、遊技を多彩にすることが可能となる。
また、第１磁石及び第２磁石は遊技盤の裏面側に位置するので、各磁石の磁力により遊技領域を転動する金属製の遊技球が影響を受ける虞がない。従って、ゲージ設定が容易となる。
更に、モータやソレノイドで可動部材を可動させる場合と比較して、遊技球の転動態様によって振分部材の遊技盤上の位置が変更することとなるので、遊技性が向上する。更に、駆動源の設置スペースも不要となり、設計の自由度が向上する。
【００１０】
また、請求項２に係る遊技機では、遊技盤の表面側で回転可能に支持されるとともに遊技領域を転動する遊技球の進行方向を変更させる振分部材と回転軸によって連結された裏側部材に、ベース体に対向して所定の極性を配置した第１磁石を設けるとともに、第１磁石の軌道をベース体に投影した投影軌道上に第１磁石のベース体に対向する極性と異なる極性を第１磁石に対向して配置した第２磁石を有するので、振分部材は、第１磁石と第２磁石との間の吸引力と、遊技球との衝突の加重によってベース体上の位置を変化させる。従って、遊技領域内で転動する遊技球の軌道に多様な変化を与え、遊技を多彩にすることが可能となる。
また、第１磁石及び第２磁石はベース体上の裏面側に位置するので、各磁石の磁力により遊技領域を転動する金属製の遊技球が影響を受ける虞がない。従って、ゲージ設定が容易となる。
更に、モータやソレノイドで可動部材を可動させる場合と比較して、遊技球の転動態様によって振分部材のベース体上の位置が変更することとなるので、遊技性が向上する。更に、駆動源の設置スペースも不要となり、設計の自由度が向上する。
【００１１】
また、請求項３に係る遊技機では、第２磁石は、投影軌道上の複数箇所に設けられるとともに、投影軌道の中間点より遠方に配置される第２磁石がより強い磁力を有することを特徴とするので、振分部材が遊技球と衝突した際の衝撃加重が十分でなかったとしても、複数個所に設けられた第２磁石からの複数の吸引力によって、振分部材は遊技盤上において位置を確実に変化させることができる。
また、中間点より遠方に配置される第２磁石ほど強い磁力を持っているので、裏側部材は、磁力の弱い第２磁石が設置された軌道上に停止することなく、振分部材は遊技盤上においてより大きな変化をすることが可能である。
【００１２】
また、請求項４に係る遊技機では、投影軌道の中間点に第１磁石の遊技盤又はベース体に対向する極性と同じ極性を第１磁石に対向して配置した第３磁石を有するので、裏側部材には第２磁石からの吸引力に加え、第３磁石からの反発力が生じ、振分部材は、遊技球からの衝突加重が一定加重に満たなかった場合においても遊技盤上において位置を確実に変化させることができる。
【発明を実施するための最良の形態】
【００１３】
以下、本発明に係る遊技機をパチンコ機について具体化した第１及び第２実施形態について図面を参照して詳細に説明する。
【００１４】
（第１実施形態）
先ず、第１実施形態に係るパチンコ機の概略構成について図１乃至図３に基づき説明する。図１は第１実施形態に係るパチンコ機の全体を示した正面図である。図２は第１実施形態に係るパチンコ機の遊技盤を示した正面図である。図３は第１実施形態に係るパチンコ機を示した背面図である。
【００１５】
図１乃至図３に示すように、第１実施形態に係るパチンコ機１は、所定量のパチンコ球を賞球として払い出す、いわゆる第１種パチンコ機で、一般にＣＲ機（カードリーディング機）と称され、カード式球貸機とパチンコ機１とによって構成され、これらは対をなして設置されるが、図１及び図３においては、カード式球貸機の図示を省略している。パチンコ機１は、木製の外枠２に対して合成樹脂製の中枠３が、前枠取付用ヒンジを構成する上ヒンジ４及び下ヒンジ５を介して外枠２に対して開閉自在に取り付けられている。そして、この中枠３のほぼ上半分の前側には、合成樹脂製の前面カバー部材６が左端縁部の上下を軸支されて開閉自在に取り付けられている。また、この前面カバー部材６のほぼ中央部には略円形の窓部７が開設され、この窓部７の外周縁部に形成されるガラス保持枠に装着された２枚のガラスを通して遊技盤８上の遊技領域９を見ることができるように構成されている。また、前面カバー部材６の窓部７の上端縁部には、フルカラーの発光ダイオードが内蔵され、遊技中のエラーを表示するエラー表示電飾ランプ１０Ａが取り付けられている。また、このエラー表示電飾ランプ１０Ａの左右外側には、「当たり」等の発生を報知したり遊技中に光演出をする各電飾ランプ１０Ｂが取り付けられている。また、前面カバー部材６の前面部分は、不透明な合成樹脂製の前面部材６Ａで覆われており、この各電飾ランプ１０Ａ、１０Ｂと窓部７の上端周縁部との間に、不図示のフルカラーダイオードが左右方向に内蔵され、遊技中に光演出が行われる。
【００１６】
また、前面カバー部材６の右側中央部には、中枠３及び前面カバー部材６を施錠する施錠装置（不図示）を操作するための鍵挿入部１１が設けられている。前面カバー部材６を開くためには、この鍵挿入部１１に所定のキーを挿入して所定方向に回せば、施錠装置のロック状態が解除されて、前面カバー部材６のみがオープンされる。
【００１７】
また、この前面カバー部材６の下側には、賞球払出装置を介して払い出される賞球を受ける上皿１２がスピーカ１３を内蔵して合成樹脂製プレート１４に配設されている。また、この合成樹脂製プレート１４は、左端縁部の上下を軸支されて、前面カバー部材６を開放後、内側に設けられた不図示のレバーを下げることにより開放できるように取り付けられている。また、この上皿１２の中央前面部には、カード式球貸機の操作ボタン１５、１６及びカード残高表示装置１７が設けられている。そして、その上皿１２の下には、下皿１８が配設される。また、上皿１２に連通する不図示の球送り機構を介して上皿１２のパチンコ球が操作ハンドル１９に連結された発射装置２０へ送られるよう構成されている。
【００１８】
次に、図２において、パチンコ機１における遊技盤８上の遊技領域９の構成について説明する。この遊技領域９は、所定厚さの板材をなした遊技盤８上に入賞口などの各構造物が配設され、それを囲むように環状のレール２２が立設されて構成されている。このレール２２は、発射されたパチンコ球を遊技領域９内に案内する重複して形成した案内路２３を構成し、右肩部にはレール２２に沿って打ち込まれるパチンコ球の進行を制限するための段差部２４を有する。
【００１９】
遊技領域９のほぼ中央には、開口部が開設され、この開口部の前面側に特別図柄表示装置２５が配設されている。この特別図柄表示装置２５は、遊技盤８の前面側から取り付けられる装飾部材２６と、遊技盤８の裏面側から取り付けられる液晶表示器（ＬＣＤ）２７等から構成されている。この液晶表示器２７は、左、中、右に３つの変動図柄を表示する液晶パネルであって、左下角部には、左右に２分割された普通図柄を表示する普通図柄表示部２８が構成されている。
【００２０】
一方、特別図柄表示装置２５の左側部には、遊技球振分装置３０が設けられている。遊技球振分装置３０は、遊技領域９内を転動する遊技球に衝突し、衝突した遊技球を左右に振り分けるものであり、遊技盤８に形成された開口部に挿入され取り付けられた略立方体形状のベース体３１と、遊技盤８の表面側に配置されるとともにベース体３１に対して回転可能に支持された振分部材３２と、遊技盤８の裏面側に配置されるとともにベース体３１に対して回転可能に支持された裏側部材３３とにより構成されている。尚、遊技球振分装置３０の詳細については後述する。
【００２１】
また、特別図柄表示装置２５の左右には風車３５、３６、３７が回転自在に設けられている。また、特別図柄表示装置２５の直下には、始動口３９が配設されている。この始動口３９には、パチンコ球の入賞を検出する始動口スイッチ（不図示）が設けられ、パチンコ球の入賞を検出することで液晶表示器２７に表示されている特別図柄が変動する。そして、特別図柄が変動中に始動口３９に入賞した場合には、入賞個数が４個まで後述のメイン制御基板に設けられるＲＡＭの保留カウンタに記憶されて変動確定回数として保留される。そして、この保留カウンタに記憶されているカウント値を表示する保留ランプ４０が、液晶表示器２７の左側に計４個配置されている。
【００２２】
また、始動口３９の左右両側にはゲート４１、４２が配置され、各ゲート４１、４２にはパチンコ球の通過を検出するゲートスイッチ（不図示）が備えられており、パチンコ球の通過を検出することで普通図柄表示部２８の普通図柄が変動する。そして、このゲート４１又はゲート４２にパチンコ球が入って、普通図柄表示部２８の普通図柄が変動後、所定の表示態様で停止した場合（例えば、「１１」、「７７」のように揃った場合等）には、始動口３９の上部に設けられるチューリップ式役物３９Ａが所定時間（第１実施形態では、約１秒間）開かれ、この始動口３９にパチンコ球が入賞する確率が増加する。
【００２３】
そして、始動口３９の下側には、横幅が広い上方に開口する開閉扉４４で前面部を覆われる大入賞口４５が形成されている。また、この大入賞口４５の左右両側には上方に開口する各入賞口４７、４８が前面側に突出して形成されている。また、各入賞口４７、４８の更に両側部には、各電飾ランプ４９、５０が内蔵されている。
【００２４】
また、入賞口４７、４８の下方には下入賞口５１、５２が配設されている。下入賞口５１、５２は遊技盤８裏面の不図示の賞球樋に連通され、この下入賞口５１、５２への入賞を検出する下入賞口スイッチ（不図示）が設けられている。また、大入賞口４５の直下にはレール２２に沿ってアウト口５３が開設されている。更に、レール２２に囲まれたこのような遊技領域９には、前記各構成物とともに複数の釘が打設されてパチンコ球の複雑な流路を構成している。
【００２５】
次に、図３に基づいてパチンコ機１の背面側の構成について説明する。
図３に示すように、中枠３のほぼ中央部には遊技盤８が着脱自在なように鉄板等の金属製の機構盤５５が取り付けられている。そして、この機構盤５５の裏側には合成樹脂製の機構セット盤５６が開閉自在に蝶番により取り付けられている。
また、パチンコ機１の裏側の背面上方部には、上方に開口した賞球タンク５７が機構セット盤５６に固定されている。賞球タンク５７は、傾斜した底面に連通孔５８が形成され、その連通孔５８の下方にはパチンコ球を１列に整列流出し、賞球ケース５９にパチンコ球を送る通路を形成するタンクレール６０が取り付けられている。
【００２６】
また、賞球ケース５９にパチンコ球を案内する賞球案内部６１内には、タンクレール６０の下流側のパチンコ球を送る１列の賞球通路が形成されている。
また、賞球ケース５９内には、賞球案内部６１内の賞球通路を通過するパチンコ球を確認する球有り検出スイッチやパチンコ球の払い出しを調節する払い出しソレノイドが内装されている。そして、これら賞球タンク５７、タンクレール６０、賞球案内部６１、賞球ケース５９等により賞球及び貸球の払い出しシステムが構成されている。
そして、賞球ケース５９の下流側には排出部が形成され、入賞球を排出する入賞球排出通路６２及び下皿オーバーフロースイッチ（不図示）が内装された下皿排出路６３が下端部下方に形成されている。また、この下皿排出路６３を介して上皿１２から溢れた賞球を受けて下皿１８に案内する下部受皿ボックス６４が中枠３の裏側に取り付けられている。
【００２７】
また、タンクレール６０の下側には液晶表示装置（ＬＣＤ）等をカバーする合成樹脂製のセンターカバー６５が取り付けられている。そして、このセンターカバー６５の背面部内側には、ＬＣＤ等を駆動制御する表示制御基板６６、スピーカ１３等を駆動制御する音制御基板６７、及び電飾ランプ１０Ｂ等を駆動制御するランプ制御基板６８が取り付けられている。また、センターカバー６５の下側には、パチンコ機１の遊技動作を制御するメイン制御基板６９が内蔵される基板ケース７０が配設されている。また、この基板ケース７０の右下には電源ボックス７１が配設されている。
【００２８】
続いて、前記遊技盤８の遊技領域９内に設けられた遊技球振分装置３０について図４乃至図６を用いて詳細に説明する。図４は第１実施形態に係る遊技盤に設けられた遊技球振分装置を示した正面図、図５は第１実施形態に係る遊技球振分装置を示した側面図、図６は第１実施形態に係る遊技球振分装置を示した背面図である。
【００２９】
遊技球振分装置３０は、図４乃至図６に示すように、遊技盤８に形成された開口部に挿入され取り付けられた略直方体形状のベース体３１と、遊技盤８の表面側に配置されるとともにベース体３１に対して回転可能に支持された振分部材３２と、遊技盤８の裏面側に配置されるとともにベース体３１に対して回転可能に支持された裏側部材３３とにより構成されている。
【００３０】
ベース体３１は、略直方体形状を有し、中央部やや上方に振分部材３２と裏側部材３３との共通の回転軸７８を前面（遊技盤８に取り付けた際に前面に位置する面）より後面（遊技盤８に取り付けた際に後面に位置する面）に貫通して支持する軸孔７４が形成されている。
一方、振分部材３２及び裏側部材３３は、共通の回転軸７８を有した略直方体形状を有し、回転軸７８に対する他端部が同一方向をなすように固定されている。そして、振分部材３２及び裏側部材３３の一方が回転軸７８を中心に回転すると、回転軸７８を介して他方も同じ角速度で、且つ同じ角度分回転する。
【００３１】
また、ベース体３１に対して振分部材３２とともに回転可能に支持された裏側部材３３には、下端部にベース体３１に対向してＳ極が配置された第１永久磁石７５が設けられている。一方、ベース体３１の後面には裏側部材３３に対向してＮ極が配置された第２永久磁石７６、７７が設けられている。
【００３２】
ここで、第２永久磁石７６、７７は、回転軸７８を中心に回転移動する際に第１永久磁石７５が描く軌道をベース体３１に投影した投影軌道８０（図６参照）上に位置する。投影軌道８０は、回転軸７８を中心とするとともに、半径長さを回転軸と第１永久磁石７５間の距離とする円弧である。また、同じ投影軌道８０上には裏側部材３３に対向してＳ極が配置された第３永久磁石８１が設けられている。
【００３３】
遊技球振分装置３０は、遊技領域９内を転動する遊技球７３（図４参照）と衝突することによって遊技球７３の進行方向を変更させるものであるが、その際、遊技球７３と実際に衝突する振分部材３２の位置を以下の２パターンに変更することが可能となっている。
具体的には、裏側部材３３が図６に示すように第１永久磁石７５と第２永久磁石７６とが同一直線状に位置する第１パターン（図６実線状態）と、第１永久磁石７５と第２永久磁石７７とが同一直線状に位置する第２パターン（図６破線状）とが有る。
尚、裏側部材３３と同一の回転軸７８により遊技盤８の表面側に回転可能に支持された振分部材３２は、裏側部材３３の状態に従って第１パターン（図４実線状態）と、第２パターン（図４破線状態）をとることとなる。
【００３４】
ここで、第１パターン（図４、図６実線状態）は、第１永久磁石７５が第２永久磁石７６との吸引力によって、第２永久磁石７６と同一直線状となる位置に停止した状態であり、第２パターン（図４、図６破線状態）は、第１永久磁石７５が第２永久磁石７７との吸引力によって、第２永久磁石７７と同一直線状となる位置に停止した状態である。
【００３５】
そして、前記した第１パターンと第２パターンとは、振分部材３２に衝突した遊技球７３からの衝撃によって互いに切り換えられる。以下に、その切り換え構造について説明する。
【００３６】
第１パターンに位置する振分部材３２は、回転軸７８に対して図４右方向に傾斜して支持される（図４の実線参照）。傾斜した振分部材３２に上方向又は右方向より遊技球が衝突し、振分部材３２に一定以上の加重（少なくとも第１永久磁石７５と第２永久磁石７６との吸引力を上回る加重）が加わった場合には、その衝撃によって振分部材３２は図４左方向へと移動する。その際、同一回転軸７８を有する裏側部材３３も振分部材３２の移動に伴って第１永久磁石７５と第２永久磁石７６による吸引力を振り切って、回転軸７８を中心に図６中の反時計回り方向に回転する。その後、移動する裏側部材３３は、第１永久磁石７５と第２永久磁石７７との吸引力によって、第１永久磁石７５と第２永久磁石７７とが同一直線状をなす位置で停止する。また、振分部材３２も裏側部材３３の停止に伴って停止する。以上より、第１パターンより第２パターンへの切り換えが完了する。
【００３７】
一方、第２パターンへと切り換わった遊技球振分装置３０では、第２パターンに位置する振分部材３２が、回転軸７８に対して図４左方向に傾斜して支持される（図４の破線参照）。傾斜した振分部材３２に上方向又は左方向より遊技球が衝突し、振分部材３２に一定以上の加重（少なくとも第１永久磁石７５と第２永久磁石７７との吸引力を上回る加重）が加わった場合には、その衝撃によって振分部材３２は図４右方向へと移動する。その際、同一回転軸７８を有する裏側部材３３も振分部材３２の移動に伴って第１永久磁石７５と第２永久磁石７７による吸引力を振り切って、回転軸７８を中心に図６中の時計回り方向に回転する。その後、移動する裏側部材３３は、第１永久磁石７５と第２永久磁石７６との吸引力によって、第１永久磁石７５と第２永久磁石７６とが同一直線状をなす位置で停止する。また、振分部材３２も裏側部材３３の停止に伴って停止する。以上より、第２パターンより第１パターンへの切り換えが完了する。
【００３８】
また、第１パターンから第２パターンへと切り換わる際、及び第２パターンから第１パターンへと切り換わる際に、衝突した遊技球７３による加重が不十分な際には、他方へのパターンへと完全に移行できない場合も考えられる。例えば、第１パターンから第２パターンへと切り換わる際に、裏側部材３３は、振分部材３２の移動に伴って第１永久磁石７５と第２永久磁石７６による吸引力を振り切って、回転軸７８を中心に図６中の反時計回り方向に回転するが、その後、第１永久磁石７５と第２永久磁石７７とが同一直線状をなす位置まで達することなく、振分部材３２及び裏側部材３３の自重によって、回転軸７８に対して鉛直下向きで停止することが考えられる。鉛直下向きで停止した状態では、遊技球が振分部材３２に衝突しずらく、第１パターン又は第２パターンへと移行することが難しくなる。図７は振分部材が回転軸に対して鉛直下向きに位置した際の第１実施形態に係る遊技球振分装置を示した背面図である。
【００３９】
しかし、第１実施形態に係る遊技球振分装置３０は、前記したように投影軌道８０上に裏側部材３３に対向してＳ極が配置された第３永久磁石８１が設けられている。第３永久磁石８１は、投影軌道８０の中間点Ｈ（回転軸７８の鉛直下方向）に位置し、図７に示すように裏側部材３３（振分部材３２も同様）の下端が回転軸７８に対して鉛直下向きに位置した際に、裏側部材３３に固定された第１永久磁石７５と第３永久磁石８１との間に反発力が生じる。
【００４０】
それにより、裏側部材３３には第２永久磁石７６、７７からの吸引力に加え、第３永久磁石８１からの反発力が生じるので、遊技球７３からの衝突加重が一定加重に満たなかった場合においても、確実に第１パターン又は第２パターンへと切り換わることが可能となる。
【００４１】
以上説明した通り第１実施形態に係るパチンコ機１では、遊技領域内を転動する遊技球７３と衝突することによって遊技球７３の進路を変更する振分部材３２を有する遊技球振分装置３０において、振分部材３２と同一の回転軸７８によりベース体３１の裏側で回転可能に支持された裏側部材３３に、ベース体３１に対向してＳ極が配置された第１永久磁石７５を設け、一方、ベース体３１の後面には裏側部材３３に対向してＮ極が配置された第２永久磁石７６、７７を設ける。そして、遊技球振分装置３０は、振分部材３２及び裏側部材３３が第１永久磁石７５と第２永久磁石７６、７７との吸引力と、遊技球７３との衝突の加重によって、振分部材３２が可動する（第１パターンと第２パターンとが交互に切り換わる）ことにより、遊技領域内で転動する遊技球７３の軌道に多様な変化を与え、遊技を多彩にすることが可能となる。
また、第１永久磁石７５、第２永久磁石７６、７７、第３永久磁石８１は、それそれ遊技盤８の裏面側に位置するので、各磁石の磁力により遊技領域９を転動する金属製の遊技球７３が影響を受ける虞がない。従って、ゲージ設定が容易となる。
また、モータやソレノイドで振分部材３２を可動させる場合と比較して、遊技球７３転動態様によって振分部材３２が可動することとなるので、遊技性が向上する。更に、駆動源の設置スペースも不要となり、設計の自由度が向上する。
更に、投影軌道８０上には裏側部材３３に対向してＳ極が配置された第３永久磁石８１が設けられているので、裏側部材３３には第２永久磁石７６、７７からの吸引力に加え、第３永久磁石８１からの反発力が生じ、遊技球７３からの衝突加重が一定加重に満たなかった場合においても、確実に第１パターン又は第２パターンへと切り換わることが可能となる。
【００４２】
（第２実施形態）
次に、第２実施形態に係るパチンコ機について図８乃至図１１に基づいて説明する。尚、以下の説明において上記図１乃至図７の第１実施形態に係るパチンコ機１の構成と同一符号は、該第１実施形態に係るパチンコ機１等の構成と同一あるいは相当部分を示すものである。
【００４３】
この第２実施形態に係るパチンコ機の概略構成は、第１実施形態に係るパチンコ機１とほぼ同じ構成である。また、各種制御処理も第１実施形態に係るパチンコ機１とほぼ同じ制御処理である。
但し、第１実施形態に係るパチンコ機１が、遊技球振分装置３０のベース体３１に第１永久磁石７５のベース体３１に対向して配置した極性と異なる極性を裏側部材３３に対向して配置した第２永久磁石７６、７７と、更に、同じ極性を配置した第３永久磁石８１とが設けられているのに対して、第２実施形態に係るパチンコ機は、遊技球振分装置３０のベース体３１に第２永久磁石７６、７７と、第２永久磁石７６、７７と同じく異なる極性で、且つ第２永久磁石７６、７７と比較して磁力の小さい第４永久磁石８８、８９を配置する点で異なっている。
【００４４】
以下に、第２実施形態に係る遊技盤８の遊技領域９に設けられた遊技球振分装置９０について図８乃至図１０を用いて詳細に説明する。図８は第２実施形態に係る遊技盤に設けられた遊技球振分装置を示した正面図、図９は第２実施形態に係る遊技球振分装置を示した側面図、図１０は第２実施形態に係る遊技球振分装置を示した背面図である。
【００４５】
遊技球振分装置９０は、図８乃至図１０に示すように、遊技盤８に形成された開口部に挿入され取り付けられた略立方体形状のベース体９１と、遊技盤８の表面側に配置されるとともにベース体９１に対して回転可能に支持された振分部材３２と、遊技盤８の裏面側に配置されるとともにベース体９１に対して回転可能に支持された裏側部材３３とにより構成されている。
【００４６】
ベース体９１は、立方体形状を有し、中央部やや上方に振分部材３２と裏側部材３３との共通の回転軸７８を前面（遊技盤８に取り付けた際に前面に位置する面）より後面（遊技盤８に取り付けた際に後面に位置する面）に貫通して支持する軸孔７４が形成されている。
一方、振分部材３２及び裏側部材３３は、共通の回転軸７８を有した略直方体形状を有し、回転軸７８に対する他端部が同一方向をなすように固定されている。そして、振分部材３２及び裏側部材３３の一方が回転軸７８を中心に回転すると、回転軸７８を介して他方も同じ角速度で、且つ同じ角度分回転する。
【００４７】
また、ベース体９１に対して振分部材３２とともに回転可能に支持された裏側部材３３には、下端部にベース体９１に対向してＳ極が配置された第１永久磁石７５が設けられている。一方、ベース体９１の後面には裏側部材３３に対向してＮ極が配置された第２永久磁石７６、７７と、同じくＮ極が配置された第４永久磁石８８、８９が設けられている。
【００４８】
ここで、第２永久磁石７６、７７は、回転軸７８を中心に回転移動する際に第１永久磁石７５が描く軌道をベース体９１に投影した投影軌道９３（図１０参照）上に位置する。投影軌道９３は、回転軸７８を中心とするとともに、半径長さを回転軸と第１永久磁石７５間の距離とする円弧である。
【００４９】
また、第４永久磁石８８、８９は、前記第２永久磁石７６、７７と同様に投影軌道９３上に位置し、具体的には、投影軌道９３の中間点Ｈ（回転軸７８の鉛直下方向）と、第２永久磁石７６、７７の中間に位置にする。更に、第４永久磁石８８、８９は第２永久磁石７６、７７と同じ円形磁石であるが、図１０に示すようにその半径が第２永久磁石７６、７７の約１／２となっており、その磁力は第２永久磁石７６、７７より弱いものとなっている。
【００５０】
第２実施形態にかかる遊技球振分装置９０は、遊技領域９内を転動する遊技球７３（図８参照）と衝突することによって遊技球７３の進行方向を変更させるものであるが、その際、遊技球７３と実際に衝突する振分部材３２の位置を以下の２パターンに変更することが可能となっている。
具体的には、裏側部材３３が図１０に示すように第１永久磁石７５と第１永久磁石７６とが同一直線状に位置する第１パターン（図１０実線状態）と、第１永久磁石７５と第２永久磁石７７とが同一直線状に位置する第２パターン（図１０破線状）とが有る。
尚、裏側部材３３と同一の回転軸７８により遊技盤８の表面側に回転可能に支持された振分部材３２は、裏側部材３３の状態に従って第１パターン（図８実線状態）と、第２パターン（図８破線状態）をとることとなる。
【００５１】
ここで、第１パターン（図８、図１０実線状態）は、第１永久磁石７５が第２永久磁石７６との吸引力によって、第２永久磁石７６と同一直線状となる位置に停止した状態であり、第２パターン（図８、図１０破線状態）は、第１永久磁石７５が第２永久磁石７７との吸引力によって、第２永久磁石７７と同一直線状となる位置に停止した状態である。
【００５２】
そして、前記した第１パターンと第２パターンとは、振分部材３２に衝突した遊技球７３からの衝撃によって互いに切り換えられる。以下に、その切り換え構造について説明する。
【００５３】
第１パターンに位置する振分部材３２は、回転軸７８に対して図８右方向に傾斜して支持される（図８の実線参照）。傾斜した振分部材３２に上方向又は右方向より遊技球７３が衝突し、振分部材３２に一定以上の加重（少なくとも第１永久磁石７５と第２永久磁石７６との吸引力を上回る加重）が加わった場合には、その衝撃によって振分部材３２は図８左方向へと移動する。その際、同一回転軸７８を有する裏側部材３３も振分部材３２の移動に伴って第１永久磁石７５と第２永久磁石７６による吸引力を振り切って、回転軸７８を中心に図１０中の反時計回り方向に回転する。その後、移動する裏側部材３３は、第１永久磁石７５と第２永久磁石７７との吸引力によって、第１永久磁石７５と第２永久磁石７７とが同一直線状をなす位置で停止する。また、振分部材３２も裏側部材３３の停止に伴って停止する。以上より、第１パターンより第２パターンへの切り換えが完了する。
【００５４】
一方、第２パターンへと切り換わった遊技球振分装置９０では、第２パターンに位置する振分部材３２が、回転軸７８に対して図８左方向に傾斜して支持される（図８の破線参照）。傾斜した振分部材３２に上方向又は左方向より遊技球７３が衝突し、振分部材３２に一定以上の加重（少なくとも第１永久磁石７５と第２永久磁石７７との吸引力を上回る加重）が加わった場合には、その衝撃によって振分部材３２は図８右方向へと移動する。その際、同一回転軸７８を有する裏側部材３３も振分部材３２の移動に伴って第１永久磁石７５と第２永久磁石７７による吸引力を振り切って、回転軸７８を中心に図１０中の時計回り方向に回転する。その後、移動する裏側部材３３は、第１永久磁石７５と第２永久磁石７６との吸引力によって、第１永久磁石７５と第２永久磁石７６とが同一直線状をなす位置で停止する。また、振分部材３２も裏側部材３３の停止に伴って停止する。以上より、第２パターンより第１パターンへの切り換えが完了する。
【００５５】
第２実施形態に係る遊技球振分装置９０は、上記説明した第１パターンと第２パターンとが交互に切り換わることにより、遊技領域内で転動する遊技球７３の軌道に多様な変化を与え、遊技を多彩にするものである。また、第１永久磁石７５、第２永久磁石７６、７７、第４永久磁石８８、８９は、それぞれ遊技盤８の裏面側に位置するので、各磁石の磁力により遊技領域９を転動する金属製の遊技球７３が影響を受ける虞がない。従って、ゲージ設定が容易となる。
また、モータやソレノイドで振分部材３２を可動させる場合と比較して、遊技球７３転動態様によって振分部材３２が可動することとなるので、遊技性が向上する。更に、駆動源の設置スペースも不要となり、設計の自由度が向上する。
【００５６】
また、第１パターンから第２パターンへと切り換わる際、及び第２パターンから第１パターンへと切り換わる際に、衝突した遊技球７３による加重が不十分な際には、他方へのパターンへと完全に移行できない場合も考えられる。例えば、第１パターンから第２パターンへと切り換わる際に、裏側部材３３は、振分部材３２の移動に伴って第１永久磁石７５と第２永久磁石７６による吸引力を振り切って、回転軸７８を中心に図１０中の反時計回り方向に回転するが、その後、第１永久磁石７５と第２永久磁石７７とが同一直線状をなす位置まで達することなく、振分部材３２及び裏側部材３３の自重によって、回転軸７８に対して鉛直下向きで停止することが考えられる。鉛直下向きで停止した状態では、遊技球が振分部材３２に衝突しずらく、第１パターン又は第２パターンへと移行することが難しくなる。図１１は振分部材が回転軸に対して鉛直下向きに位置した際の第２実施形態に係る遊技球振分装置を示した背面図である。
【００５７】
しかし、第２実施形態に係る遊技球振分装置９０は、前記したように投影軌道９３上に裏側部材３３に対向してＮ極が配置された第４永久磁石８８、８９が設けられている。従って、図１１に示すように裏側部材３３（振分部材３２も同様）が回転軸７８に対して鉛直下向きに位置した際に、裏側部材３３に固定された第１永久磁石７５と第４永久磁石８８、８９との間に吸引力が生じる。
【００５８】
それにより、裏側部材３３には第２永久磁石７６、７７からの吸引力に加え、第４永久磁石８８、８９からの吸引力が生じるので、遊技球７３からの衝突加重が一定加重に満たなかった場合においても、確実に第１パターン又は第２パターンへと切り換わることが可能となる。
また、第４永久磁石８８、８９は第２永久磁石７６、７７と比較して磁力が小さく、第１永久磁石７５が第４永久磁石８８、８９と同一直線状に位置した場合に、第４永久磁石８８、８９からの吸引力より第２永久磁石７６、７７からの吸引力のほうが強くなるように設定されている。従って、第１永久磁石７５が第４永久磁石８８、８９と同一直線状をなす位置で裏側部材３３が停止することなく、確実に第１パターン又は第２パターンへと切り換わることが可能となる。
【００５９】
以上説明した通り第２実施形態に係るパチンコ機１では、遊技領域内を転動する遊技球７３と衝突することによって遊技球７３の進路を変更する振分部材３２を有する遊技球振分装置９０において、振分部材３２と同一の回転軸７８によりベース体９１の裏側で回転可能に支持された裏側部材３３に、ベース体９１に対向してＳ極が配置された第１永久磁石７５を設け、一方、ベース体９１の後面には裏側部材３３に対向してＮ極が配置された第２永久磁石７６、７７を設ける。そして、遊技球振分装置９０は、振分部材３２及び裏側部材３３が第１永久磁石７５と第２永久磁石７６、７７との吸引力と、遊技球７３との衝突の加重によって、振分部材３２が可動する（第１パターンと第２パターンとが交互に切り換わる）ことにより、遊技領域内で転動する遊技球７３の軌道に多様な変化を与え、遊技を多彩にすることが可能となる。
また、第１永久磁石７５、第２永久磁石７６、７７、第４永久磁石８８、８９は、それぞれ遊技盤８の裏面側に位置するので、各磁石の磁力により遊技領域９を転動する金属製の遊技球７３が影響を受ける虞がない。従って、ゲージ設定が容易となる。
また、モータやソレノイドで振分部材３２を可動させる場合と比較して、遊技球７３転動態様によって振分部材３２が可動することとなるので、遊技性が向上する。更に、駆動源の設置スペースも不要となり、設計の自由度が向上する。
更に、投影軌道９３上には裏側部材３３に対向してＮ極が配置された第４永久磁石８８、８９が設けられているので、裏側部材３３には第２永久磁石７６、７７からの吸引力に加え、第４永久磁石８８、８９からの吸引力も生じ、遊技球７３からの衝突加重が一定加重に満たなかった場合においても、確実に第１パターン又は第２パターンへと切り換わることが可能となる。
【００６０】
尚、本発明は前記実施例に限定されるものではなく、本発明の要旨を逸脱しない範囲内で種々の改良、変形が可能であることは勿論である。
例えば、第１実施形態では第１パターンと第２パターンとの切り換えが確実に行われる為に、中間点Ｈに第３永久磁石８１が設けられ、第２実施形態では中間点Ｈと第２永久磁石７６、７７との間に第４永久磁石８８、８９が設けられているが、変形例１として、第３永久磁石８１と第４永久磁石８８、８９の両方を同時に設けることも可能である。図１２は変形例１における遊技球振分装置９７を示した背面図である。
変形例１では、裏側部材３３に設けられた第１永久磁石７５に対して、第２永久磁石７６、７７及び第４永久磁石８８、８９による吸引力、及び第３永久磁石８１による反発力が働くので、より確実に第１パターン又は第２パターンへと切り換えが可能となる。
【００６１】
また、第１及び第２実施形態では、振分部材３２と裏側部材３３とは共通の回転軸７８に対する下端部が同一方向をなすように固定されているが、下端部がそれぞれ異なる方向をなすように固定することも可能である。図１３は変形例２における遊技球振分装置９７を示した正面図である。
変形例２では、図１３に示すように振分部材３２と裏側部材３３とを所定角度φずらして固定する。そして、ベース体９９の裏側に設けられた第２永久磁石７６、７７、第３永久磁石８１、及び第４永久磁石８８、８９も、前記変形例１の配置より回転軸７８を中心にφずらして配置する。ここで、裏側部材３３は振分部材３２より重くなるように成形されているので、第１パターン及び第２パターンの切り換え時において遊技球７３の衝突加重が十分でない場合であっても、裏側部材３３の自重によって振分部材３２は図１３に示すように右方向に傾いた状態となり、回転軸７８に対して鉛直下向きに位置することを防止することが可能となる。
【００６２】
また、第１乃至第２実施形態では、軸孔７４を形成したベース体３１、９１を遊技盤８の開口部に取り付け、ベース体３１、９１に第２永久磁石７６、７７、第３永久磁石８１、及び第４永久磁石８８、８９を固定することとしているが、ベース体３１を用いることなく遊技盤８に直接軸孔７４を形成し、また、遊技盤８の裏面側に直接第２永久磁石７６、７７、第３永久磁石８１、及び第４永久磁石８８、８９を固定しても良い。
【００６３】
更に、第２永久磁石７６、７７、第３永久磁石８１、及び第４永久磁石８８、８９を固定する位置は遊技盤８の裏面に限られることなく、例えば、遊技者に対して遊技盤８の裏側に位置する場所に、遊技盤８に平行で、且つ遊技盤８の裏面に対向して設けられた固定面を有するベース体を別途配置し、第１永久磁石７５が描く軌道を前記ベース体の固定面に投影した投影軌道上に第２永久磁石７６、７７、第３永久磁石８１、及び第４永久磁石８８、８９を固定することとしても良い。
【００６４】
また、第１及び第２実施形態で用いられている各永久磁石の代わりに、電磁石を用いることも当然に可能である。
【図面の簡単な説明】
【００６５】
【図１】第１実施形態に係るパチンコ機の全体を示した正面図である。
【図２】第１実施形態に係るパチンコ機の遊技盤を示した正面図である。
【図３】第１実施形態に係るパチンコ機を示した背面図である。
【図４】第１実施形態に係る遊技球振分装置を示した正面図である。
【図５】第１実施形態に係る遊技球振分装置を示した側面図である。
【図６】第１実施形態に係る遊技球振分装置を示した背面図である。
【図７】振分部材が回転軸に対して鉛直下向きに位置した際の第１実施形態に係る遊技球振分装置を示した背面図である。
【図８】第２実施形態に係る遊技球振分装置を示した正面図である。
【図９】第２実施形態に係る遊技球振分装置を示した側面図である。
【図１０】第２実施形態に係る遊技球振分装置を示した正面図である。
【図１１】振分部材が回転軸に対して鉛直下向きに位置した際の第２実施形態に係る遊技球振分装置を示した背面図である。
【図１２】変形例１における遊技球振分装置を示した背面図である。
【図１３】変形例２における遊技球振分装置を示した正面図である。
【符号の説明】
【００６６】
１                パチンコ機
３                中枠
８                遊技盤
９                遊技領域
３０、９０        遊技球振分装置
３１、９１        ベース体
３２              振分部材
３３              裏側部材
７３              遊技球
７５              第１永久磁石
７６、７７        第２永久磁石
７８              回転軸
８０、９３        投影軌道
８１              第３永久磁石
８８、８９        第４永久磁石
Ｈ                投影軌道中間点
【図１】
2005334501.tif 000003
【図２】
2005334501.tif 000004
【図３】
2005334501.tif 000005
【図４】
2005334501.tif 000006
【図５】
2005334501.tif 000007
【図６】
2005334501.tif 000008
【図７】
2005334501.tif 000009
【図８】
2005334501.tif 000010
【図９】
2005334501.tif 000011
【図１０】
2005334501.tif 000012
【図１１】
2005334501.tif 000013
【図１２】
2005334501.tif 000014
【図１３】
2005334501.tif 000015